(57)【要約】【課題】瓶の自動抜栓を効率よくかつメンテナンスフリーで実行する。【解決手段】  回転する板状体１２の端部を瓶２０の栓２０ａに当てて栓を自動的に抜栓するための抜栓機１０であって、前記板状体は、合成樹脂製で両端に前記栓を跳ね上げる跳上端を有する、例えば矩形の板状体の中央部をギヤモータで駆動される回転軸に取り付けた二枚刃構成とし、かつ瓶の搬送方向に沿ってかつその一方側に配置した。【選択図】          図１
2007001600.tif 000002
【特許請求の範囲】
【請求項１】
回転する板状体の端部を瓶の栓に当てて栓を自動的に抜栓するための抜栓機であって、
前記板状体は両端に前記栓を跳ね上げる跳上端を有し、モータ駆動される回転軸にその中央部が取り付けられ、かつ瓶の搬送路に沿って配置されることを特徴とする抜栓機。
【請求項２】
請求項１に記載された抜栓機において、
前記回転軸を駆動するモータはギヤモータであることを特徴とする抜栓機。
【請求項３】
請求項１又は２に記載された抜栓機において、
前記抜栓板は合成樹脂製であり、かつ、その跳上端の回転方向裏面側から表面側に向かってテーパー状に厚みを逓減させたことを特徴とする抜栓機。
【請求項４】
請求項１ないし３のいずれかに記載された抜栓機を備えた抜栓装置において、
瓶の横移動を拘束する案内杆を前記瓶の搬送路に沿って備えたことを特徴とする抜栓装置。
【発明の詳細な説明】
【技術分野】
【０００１】
本発明は、例えばガラス瓶の栓を自動的に抜くための抜栓機及び抜栓機を備えた抜栓装置に関するものである。
【背景技術】
【０００２】
主に飲料や調味料等は瓶詰めして消費者に提供されているが、この中ガラス瓶などは、古くから使用後に回収されてリサイクルされて利用されている。
例えば、使用後に回収された瓶は洗浄・殺菌などの処理を行った後、再度内容物が充填されて市場に出荷される。この回収された瓶の洗浄等を行うためには瓶を抜栓状態にする必要があるが、回収された瓶には栓をしたままのものがあり、このような瓶は、まず抜栓を行う必要がある。この作業を手作業で行うと手間やコストが掛かるという問題がある。
【０００３】
そこで、特許文献に記載されたものではないが、回収された瓶の栓を自動的に抜く装置が開発されている。
図５に示すものはその１例であるが、図示しないコンベア装置上を立てたまま移動する瓶２０の栓２０ａにのみ当たるように瓶２０の両側にそれぞれ抜栓板１２ａをカムとリンクで、この抜栓板１２ａを楕円状に上下動させてその先端部で栓１２ａの下側を持ち上げて抜くようにしている。
この抜栓板１２ａの駆動は、例えばモータで回転する伝動機構例えばカム機構により行う（従来例１）。
【０００４】
また、別の例では、駆動及び従動スプロケット間に２条のチェーンを掛け渡し、この２条のチェーン間に一定間隔でブラシを取り付け、このブラシでコンベア装置上に載置された瓶の栓を抜くようにしている。
即ち、図６は、この従来の抜栓装置１００を示す側面図である。
図示にように、駆動スプロケット１２１には同軸に従動プーリー１２４が軸止されており、この従動プーリー１２４と駆動モータＭＸ側の駆動プーリー１２６との間にはベルト１２８が掛け渡されている。従って、モータＭＸを駆動すると、その回転は図示しない減速装置により所定の速度に減速して駆動プーリー１２６に伝えられ、この駆動プーリー１２６からベルト１２８を介して従動側プーリー１２４に伝動される。従動プーリー１２４が回転することにより、同軸の駆動側スプロケット１２１が回転しチェーン１１０を駆動する。このチェーン１１０の駆動によりこのチェーン１１０に取り付けたブラシ１１２を瓶２０の栓２０ａに当てて、擦り上げるようにしてブラシ１１２の毛先で瓶２０の抜栓を行う。ブラシ１１２で抜栓を行う場合は、抜栓板を用いるよりも、抜栓に多少時間を要するので、ブラシ１１２は、両チェーン１１０間に傾斜して取り付けられている。（従来例２）。
【０００５】
また、特許文献に記載されたものとしては、ふらんびんのキャップを自動で開栓する自動栓抜き装置が知られている。これは、前記びんの頭部に上から押さえ板を当てて押さえ、他方、栓の首部下部に栓抜き板を挿入する。この栓抜き板は、平面にひょうたん状に大小の連続した開口を有する開口部を複数有し、大きい開口のところで上下方向に栓を通し、栓を通ったところでスライドさせて小さい方の開口に栓の頭部をはめ込み、これをシリンダで上方に引き上げて複数のふらんびんの栓を同時に開栓するものである（特許文献１）。
【０００６】
しかしながら、従来例１の抜栓装置１００ａでは、瓶２０の栓２０ａに対して上下する抜栓板１２ａを両側から当てて、上方に抜栓するから栓２０ａが図示しない瓶移送用コンベア装置上にそのまま落下する。そのため、走行するコンベア装置から栓を除去する必要がある。また、一対の抜栓板１２ａを必要とするから構造が複雑化しコストが掛かるなどの問題もある。
【０００７】
また、従来例２の抜栓装置では、チェーン伝動機構やベルト伝動機能を用いているため、構造が複雑である上、ブラシはチェーン伝動機構で瓶の移送方向と直交する方向に移動するため、ブラシの前記傾斜角度やその移動速度等を調整する必要がある。また、ブラシの摩耗による取り替え等のメンテナンスが必要であるなどの問題がある。
【０００８】
また、特許文献１に記載された自動栓抜き装置も、シリンダ機構や栓抜き板等、部品数が多くかつ構造も複雑であるからコストも掛かる。またそれだけではなく、ふらんびんの栓と栓抜き板の位置合わせや調整も複雑であり従ってメンテナンスが必要である等の問題がある。
【０００９】
【特許文献１】実用新案登録第３０９２６１６号公報
【発明の開示】
【発明が解決しようとする課題】
【００１０】
本発明は、従来の抜栓装置の上記問題に鑑みてなされたものであって、その目的は、簡単な構成で抜栓を効率よく行うことができ、しかも調整を要せず、メンテナンスの必要を無くした抜栓機及び抜栓機を備えた抜栓装置を提供することである。
【課題を解決するための手段】
【００１１】
請求項１の発明は、回転する板状体の端部を瓶の栓に当てて栓を自動的に抜栓するための抜栓機であって、前記板状体は両端に前記栓を跳ね上げる跳上端を有し、モータ駆動される回転軸にその中央部が取り付けられ、かつ瓶の搬送路に沿って配置されることを特徴とする。
請求項２の発明は、請求項１に記載された抜栓機において、前記回転軸を駆動するモータはギヤモータであることを特徴とする。
請求項３の発明は、請求項１又は２に記載された抜栓機において、前記抜栓板は合成樹脂製であり、かつ、その跳上端の回転方向裏面側から表面側に向かってテーパー状に厚みを逓減させたことを特徴とする。
請求項４の発明は、請求項１ないし３のいずれかに記載された抜栓機を備えた抜栓装置であって、瓶の横移動を拘束する案内杆を前記瓶の搬送路に沿って備えたことを特徴とする。
【００１２】
（作用）
横移動が規制された状態でコンベア装置内に連続して搬送されてくる瓶の栓に、ギヤモータで回転する回転軸に取り付けた抜栓板の先端部を当て、抜栓板の回転力と弾発力を利用して跳ね上げる。外した栓を瓶移送用コンベア装置の下方に設置された回収箱内に回収する。抜栓板は略矩形で回転軸に対し対称となるようにその中央部で回転軸に連結されている。従って、回転軸の１回転により抜栓作用を２度行うことができる。つまり抜栓板は二枚刃として機能する。
【発明の効果】
【００１３】
本発明によれば、ギヤモータの回転軸に抜栓板を取り付けただけの簡単な構成であるため低コストであると共に、メンテナンスを要せず、しかも、抜栓板を合成樹脂製とすることで、仮にそれが瓶に当たっても瓶を傷めることがなく、どのような状態で栓がされていても抜栓することができる。
また、板状体を二枚刃として機能するため、効率的な抜栓ができる。
【発明を実施するための最良の形態】
【００１４】
本発明を添付図面を参照してその実施形態について説明する。
図１は、本発明の実施形態に係る抜栓装置１の側面図である。
抜栓装置１には抜栓機１０が設けられており、抜栓機１０は、図示のように回転軸１２に一体に取り付けられた抜栓板１２を有し、後述するように、この抜栓板１２が回転することにより、コンベア装置２２で移送されてきた使用済みの瓶２０に装着された栓２０ａを抜栓するようになっている。
【００１５】
抜栓板１２で瓶２０から抜栓された栓２０ａは、瓶２０の進行方向一側に配置された抜栓板１２で跳ね上げられて、瓶２０とコンベア装置２２，２４を覆うカバー体２６の外側を落下して、抜栓機１２の枠体４０の下部に設置された回収箱２８で回収される。
【００１６】
また、抜栓装置１には、瓶２０を抜栓装置１に導入しかつそこから排出するための無端のコンベア装置２２が配置されていると共に、抜栓装置１内に導入された瓶２０の姿勢を維持するため、その胴部の首部に近い部分（或いはその首部の胴部に近い部分）を図中の左右側から支持するための案内杆２１と、抜栓板１２側でかつ瓶２０の胴部の下方部分と、その反対側で前記下方部分よりも胴部の瓶底に近い部分に、それぞれ抜栓装置１内を移動する瓶２０の図示左右方向の位置を規制する案内杆２３、２４が、抜栓装置１の枠体４２に瓶２０の搬送路に沿って取り付けられている。
【００１７】
図２は、図１に示す抜栓板１２の部分を拡大して示した平面図である。
図示のように、抜栓板１２は、一端にギヤモータ１０の軸のベベルギヤ３４と噛み合うベベルギヤ３２を取り付けた回転軸１４に取り付けられている。即ち、例えば図３に示すように、回転軸１４の中央部分に設けた平坦部１４ａに設けた３個の孔に、ボルト１６ａとナット（蝶ナット）１６ｂで一体に取り付けられている。また、回転軸１４は抜栓機１０のカバー体を構成する図示左右の側板４２に取り付けられた軸受３０に支承されている。
なお、ギヤモータ１０の軸をベベルギヤを介して前記回転軸１４に連結する構成に代えて、前記回転軸１４に直結する構成でもよい。また、抜栓板１２の回転軸１４への取付手段は前記構成に限らず他の周知の取付手段を用いて適宜行うことができる。
【００１８】
ここで、本実施形態の抜栓板１２は、ＭＣナイロン（登録商標）等の合成樹脂製で両端に栓の跳上端となる端部を備えた矩形の板体からなり、回転軸１４に取り付けたときにその回転端面即ち跳上端面は、回転方向後面側から前面側に向かってその厚さを徐々に減じる方向にテーパーが付されている。これは抜栓板１２を回転させたときに、その厚みが邪魔にならず栓の瓶口からの小さな突出部分に容易に係合できるようにするためである。また、合成樹脂製の抜栓板１２の可撓性を利用して、抜栓に当たりその弾発力をも利用して栓を跳ね上げ、栓２０ａが瓶２０の前記抜栓板１２の反対側外側を落下して回収箱２８に確実に収容する。
なお、抜栓板１２は矩形以外に、栓の跳ね上げ端となる平行な直線からなる２辺間を結ぶ２辺が湾曲或いは屈曲した形状であってもよい。
【００１９】
次に、以上で説明した抜栓装置１で抜栓機１０を用いて使用済みの瓶２０を抜栓する動作について説明する。
図４は、本実施形態に係る抜栓装置１の斜視図である。
使用済みの瓶２０の抜栓を行う場合、まず、無端状のコンベア装置２２を動作して、その一方の搬送面２２ａに等間隔に並べた瓶２０を抜栓機１０に導入する。抜栓装置１は、前記コンベア装置２２の動作に同期してギヤモータＭを作動して減速された回転を回転軸１４に伝え抜栓板１２を回転する。
【００２０】
瓶２０は、コンベア装置２２上に等間隔に並べられ立った状態で、かつその胴の上下部分が前記案内杆２１と２３，２４に支持されて、つまり横方向には拘束された状態で抜栓機１０に導入されてくる。瓶２０が抜栓板１２の回転領域に入ると、回転する抜栓板１２の先端の前記テーパー部が瓶１２の栓１２ａのやや突出した部分に当たり、図１に示すようにこれを跳ね上げる。
この場合、コンベア装置上の瓶２０の配置位置と抜栓板１２の幅を適宜選択することにより複数の瓶２０の栓２０ａを同時に抜栓することができる。
【００２１】
抜栓された瓶２０はそのままコンベア装置２２により抜栓装置１外の回収位置に搬送される。
なお、回収された使用済みの瓶２０には栓１２ａがないものもあるが、本抜栓装置１ではこれらを仕分けしてから抜栓を行っても、或いはそのまま瓶２０をコンベア装置２２上に並べて抜栓装置１を通してもよいことは勿論である。
なお、抜栓板１２は、合成樹脂製のものが好ましいが、必ずしもこれに限定されず、合成樹脂以外の例えば金属などの材料を用いることもできる。
【図面の簡単な説明】
【００２２】
【図１】本発明の実施形態に係る抜栓機の側面図である。
【図２】図１の抜栓板の部分を拡大して示す平面図である。
【図３】抜栓板の構成を示す正面図である。
【図４】抜栓機の斜視図である。
【図５】従来の抜栓機の側面図である。
【図６】従来の他の抜栓機の側面図である。
【符号の説明】
【００２３】
１・・・抜栓装置、１０・・・抜栓機、１２、１２ａ・・・抜栓板、１４・・・回転軸、２０・・・瓶、２０ａ・・・栓、２２・・・コンベア装置、２１、２３，２４・・・案内杆、２８・・・回収箱、１１０・・・チェーン、１１２・・・ブラシ、１２０、１２１・・・スプロケット、１２４，１２８・・・プーリー、Ｍ・・・ギヤモータ、ＭＸ・・・モータ。
【図１】
2007001600.tif 000003
【図２】
2007001600.tif 000004
【図３】
2007001600.tif 000005
【図４】
2007001600.tif 000006
【図５】
2007001600.tif 000007
【図６】
2007001600.tif 000008